(57)【要約】【課題】電子回路等へ接続している各種組電線（ハーネス）（以下ハーネスと言う）のコネクターの不正な取外しや取替えによる不正行為や、電子回路等を収容する回路収容箱（以下回路収容箱と言う）の不正な開箱による不正行為や、金庫・保管庫等の不正な開箱・開扉および建造物・家屋への不正な侵入等が横行し、遊技機業界や一般社会等に多大の損害を与えており、的確に検知するシステムの出現が望まれていた。【解決手段】光路遮断式異常センサーは検出部とクランプから構成され、ハーネスや回路収容箱等の対象物をクランプによって挟み込み、監視用光ファイバーにおける送光ファイバーと受光ファイバーの光的結合の変化を検出する検出部の働きによって上記の各種異常の有無を瞬時に検知することが出来る、光ファイバーによる異常監視システムとして機能することになる。【選択図】図１
2009022712.tif 000002
【特許請求の範囲】
【請求項１】
本発明は電子回路等へ接続している各種組電線（ハーネス）（以下ハーネスと言う）のコネクターの不正な取外しや取替えの有無や、電子回路等を収容する回路収容箱等の不正な開箱の有無や、金庫・保管庫等の不正な開箱・開扉の有無および建造物・家屋等への不正な侵入等の有無を検知する光ファイバーによる異常監視システムであって、上記コネクターの不正な取外し・取替えや回路収容箱の不正な開箱等の各種の異常を感知するための光信号を送受する送光ファイバーおよび受光ファイバー（以下、送光ファイバーと受光ファイバーをまとめて監視用光ファイバーと呼ぶ）と、上記不正行為等の異常により監視用光ファイバーの内部を通過する光信号が正常に帰還しなくなることで、上記不正行為等の有無を検出する光路遮断式異常センサーと、光発光素子・光受光素子・発光電圧発生回路・変調周波数発振回路・変調回路・復調比較回路・電源監視回路・判定信号発生回路・インターフェイス回路を設けた制御装置（以下、制御装置という）と、光路遮断式異常センサーの検出部と上記制御装置間との間の光通信の通信線としての働きもする監視用光ファイバーを、設けてあることを特徴とする光ファイバーによる異常監視システム。
【請求項２】
請求項１において、光路遮断式異常センサーは検出部とクランプから構成されており、検出部は監視用光ファイバーの送光ファイバーの終端部および受光ファイバーの始端部を固定し、シャッターの動きによって送光ファイバーと受光ファイバーとの光的結合状況の変化を検出する機能を持ち、クランプ支持部およびクランプと連動して作動する構造体を持つことを特徴とする光ファイバーによる異常監視システム。
【請求項３】
請求項１において、クランプは可動側クランプと固定側クランプから構成され、クランプ支持部によって制御されており、クランプ支持部は可動側クランプの締付力になるクランプスプリングを持ち、可動クランプを開く機能を持つクランプ開きボタンと検出部との連動を解放する検出部強制解放孔を備えていることを特徴とする光ファイバーによる異常監視システム。
【請求項４】
請求項２において、シャッターには送光ファイバーと受光ファイバーとの光的結合状況を変化させるためのシャッター開口部が設けられ、可動側クランプとの連動のためシャッター下端突合部が設けられており、請求項３における可動側クランプには可動側クランプ円弧部が設けられ、上記のシャッター下端突合部との接触によって可動側クランプの動きをシャッターに伝達して送光ファイバーと受光ファイバーの光的結合状況の微細な変化を瞬時に検知することを特徴とする光ファイバーによる異常監視システム。
【請求項５】
請求項２において、シャッターには円柱状のシャッター回転軸が貫通する長方形のシャッター軸受が設けられ、シャッターの回転運動と共にシャッター軸受の長手方向への直線移動を可能としており、またシャッタースプリングによって常に可動側クランプ円弧部に密着する力を作り出し、検出部がクランプ支持部から解放されると送光ファイバーと受光ファイバーの光的結合状況を遮蔽する位置にシャッターを移動させる構造を特徴とする光ファイバーによる異常監視システム。
【請求項６】
可動側クランプ円弧部は可動側クランプが大きさの異なるコネクターを挟み込んでもシャッター下端突合部との接点を常に定位置に保つようにするため、可動側クランプ心棒を中心とする円弧となっており、シャッター下端突合部との接触面は摩擦係数を大きくしてあり、可動側クランプの回転運動によってシャッターがその回転方向を追従するように動く作用をして、送光ファイバーと受光ファイバーの光的結合状況を遮蔽する位置にシャッターを移動させる構造を特徴とする光ファイバーによる異常監視システム。
【発明の詳細な説明】
【技術分野】
【０００１】本発明は電子回路等へ接続している各種組電線（ハーネス）（以下ハーネスと言う）のコネクターの不正な取外しや取替えの有無や、電子回路等を収容する回路収容箱（以下回路収容箱と言う）の不正な開箱の有無や、金庫・保管庫等の不正な開箱・開扉の有無および建造物・家屋への不正な侵入等の有無を検知する光路遮断式異常センサーを利用した光ファイバーによる異常監視システムに関する。
なお、監視の対象物が多岐にわたるため、便宜上パチンコ・パチスロ機等の遊技機におけるハーネスのコネクターと回路収容箱に焦点を当てて以下に説明する。
【背景技術】
【０００２】パチンコ・パチスロ等の遊技機は、その作動の中心的な制御を機械的なものからマイクロコンピュ−タを使用した電子的なものに変化している。この電子回路等へ接続しているハーネスのコネクターを不正に取外し、コネクターやハーネスに不正電子部品（ゴト部品）（以下ゴト部品と言う）を取付けたり、外見から容易に判別の付かぬゴト部品を組み込んだ不正ハーネスへの取替が横行している。これらハーネスへの不正行為（ハーネスゴト）（以下ハーネスゴトと言う）を検知するために、メーカー名やホール名を印刷した「封印シール」「ホログラム封印シール」「剥がした痕跡が残る封印シール」「コネクターカバー」や「ホットボンド」等が利用されている。【０００３】遊技機の電子回路には制御プログラムを格納するメモリーが搭載されており、回路収容箱を不正に開箱しその電子回路のメモリーを交換したり内容を書き換えたりする不正行為が多発し、パチンコ・パチスロ等の遊技機業界に甚大な損害を与えている。これらの回路収容箱への不正行為を検知すべく特殊ネジを利用した機械的な封印「カシメ構造」やメーカー名を記した「封印シール」「ホログラム封印シール」の貼付や「電気的な閉回路を備えた粘着式封止シール」や「多芯ケーブルの巻回による封止」や「インシュロック」による封止などが利用されている。【０００４】上記のごとく、ハーネスゴトを検知するために「封印シール」「ホログラム封印シール」「剥がした痕跡が残る封印シール」「コネクターカバー」「ホットボンド」を利用したり、回路収容箱の不正な開箱を検知するために、特殊ネジを利用した機械的な封印「カシメ構造」やメーカー名を記した「封印シール」「ホログラム封印シール」や「インシュロック」利用した場合では、問題が発生したことを確認するには目視点検に依存することとなり，点検確認の精度は実行する検査員の個人的技量の差異により検査結果の信頼性が異なる可能性が極めて大きい。また検査した時刻が異常発見時刻となり異常を起こさせた行為がいつ行われたかを特定することが出来ないため、不正行為等の犯罪を抑止する力が乏しい。【０００５】その他に、回路収容箱の不正な開箱に対する事象を電気的に監視する手段として、粘着式の封止シールに電気的な閉回路を印刷技術によって設けた「電気的な閉回路を備えた粘着式封止シール」を剥離または切断された状態を異常発生と認識するものや、「多芯ケーブルの巻回による封止」などがあるが、以下の問題を解決する必要がある。【０００６】
【特許文献１】特願平１０−０９５６７２
【特許文献２】特願平１０−１１２０８６
【特許文献３】特願平１０−１２８９９２
【特許文献４】特願平１０−１９５３６２
【特許文献５】特願２００１−３０１９５
【特許文献６】特願２００３−１３１０７
【特許文献６】特公２００４−２２２８９４
【特許文献７】特願２００６−８１７３３
【特許文献８】特願２００６−８１７３３
【特許文献９】特願２００７−１６９７３６
【発明の開示】
【発明が解決しようとする課題】
【０００７】上記のハーネスゴトを検知するために「封印シール」「ホログラム封印シール」「剥がした痕跡が残る封印シール」「コネクターカバー」「ホットボンド」を利用したり、回路収容箱の不正な開箱を検知するために、特殊ネジを利用した機械的な封印「カシメ構造」やメーカー名を記した「封印シール」「ホログラム封印シール」や「インシュロック」利用した場合では、問題が発生したことを確認するには目視点検に依存することとなり，点検確認の精度は実行する検査員の個人的技量の差異により検査結果の信頼性が異なる可能性が極めて大きい。また検査した時刻が異常発見時刻となり異常を起こさせた行為がいつ行われたかを特定することが出来ないため、不正行為等の犯罪を抑止する力が乏しい。【０００８】パチンコ・パチスロ等遊技機は稼動時と非稼動時ではその機械を構成している機材の温度差が大きく、そこに貼付された「電気的な閉回路を備えた粘着式封止シール」のセンサー部すなわち粘着貼付面が温度変化による膨張力・収縮力に耐え切れず自己断線することがある。【０００９】遊技機からパチンコ玉が落下し「電気的な閉回路を備えた粘着式封止シール」に直接当たった場合、急激な圧力が粘着貼付面にかかり自己断線する。【００１０】貼付される側の材質との相性によっては、時間の経過とともに「電気的な閉回路を備えた粘着式封止シール」が自然剥離する可能性がある。これは貼付面が金属である場合に多く見られる。【００１１】「多芯ケーブルの巻回による封止」の場合には、電気的な特性から多芯ケーブルにピンや針状のものを差し込まれたり、多芯ケーブルの外皮を剥離して線間を短絡させることによって封止線材のラインが正常な接続状態にあるのと等価な「偽装回路」が形成され、封止線材を切断したり除外しても異常を検知することが出来なくなり、異常検知の回避手段として不正利用される可能性がある。
【課題を解決するための手段】
【００１２】本発明は電子回路等へ接続しているハーネスの不正な取外し・取替えの有無や、回路収容箱の不正な開箱を検知する異常監視システムであって、異常を感知するための光信号を送受する送光ファイバーおよび受光ファイバー（以下、送光ファイバーと受光ファイバーをまとめて監視用光ファイバーと呼ぶ）と、監視用光ファイバーの切断やハーネスの異常な取外し・取替えや、回路収容箱の不正な開箱等の異常により監視用光ファイバーの内部を通過する光信号が正常に帰還しなくなることで異常の有無を検出する光路遮断式異常センサーと、光発光素子・光受光素子・発光電圧発生回路・変調周波数発振回路・変調回路・復調比較回路・電源監視回路・判定信号発生回路・インターフェイス回路を設けた制御装置（以下、制御装置という）と、光路遮断式異常センサーの検出部と制御装置間との間の光通信の通信線としての働きもする監視用光ファイバーを設けたものである。【００１３】上記の光路遮断式異常センサーは検出部とクランプから構成されており、検出部は監視用光ファイバーの送光ファイバーの終端部および受光ファイバーの始端部を固定し、シャッターの動きによって送光ファイバーと受光ファイバーとの光的結合状況の変化を検出する機能を持ち、クランプ支持部およびクランプと連動して作動する構造体を持っている。【００１４】上記のクランプは可動側クランプと固定側クランプから構成され、クランプ支持部によって制御されており、クランプ支持部は可動側クランプの締付力になるクランプスプリングを持ち、可動側クランプを開く機能を持つクランプ開きボタンと検出部との連動を解放する検出部強制解放孔を備えている。【００１５】検出部のシャッターには送光ファイバーと受光ファイバーとの光的結合状況を変化させるためのシャッター開口部が設けられ、可動側クランプとの連動のためシャッター下端突合部が設けられており、請求項３における可動側クランプには可動側クランプ円弧部が設けられ、上記のシャッター下端突合部との接触によって可動側クランプの動きをシャッターに伝達して送光ファイバーと受光ファイバーの光的結合状況の微細な変化を瞬時に検知することができる。【００１６】また検出部のシャッターには円柱状のシャッター回転軸が貫通する長方形のシャッター軸受が設けられ、シャッターの回転運動と共にシャッター軸受の長手方向への直線移動を可能としており、またシャッタースプリングによって常に可動側クランプ円弧部に密着する力を作り出し、検出部がクランプ支持部から解放されると送光ファイバーと受光ファイバーの光的結合状況を遮蔽する位置にシャッターを移動させる構造を持っている。【００１７】可動側クランプ円弧部は可動側クランプが大きさの異なるコネクターを挟み込んでもシャッター下端突合部との接点を常に定位置に保つようにするため、可動側クランプ心棒を中心とする円弧となっており、シャッター下端突合部との接触面は摩擦係数を大きくしてあり、可動側クランプの回転運動によってシャッターがその回転方向を追従するように動く作用をして、送光ファイバーと受光ファイバーの光的結合状況を遮蔽する位置にシャッターを移動させる構造を持っている。
【発明の効果】
【００１８】ハーネスゴトを検知するために「封印シール」「ホログラム封印シール」「剥がした痕跡が残る封印シール」「コネクターカバー」「ホットボンド」を利用したり、回路収容箱の不正な開箱を検知するために、特殊ネジを利用した機械的な封印「カシメ構造」やメーカー名を記した「封印シール」「ホログラム封印シール」や「インシュロック」利用した場合に不可欠である目視点検が不要となり、ハーネスゴトや回路収容箱の不正な開箱を瞬時に検知することが出来、遊技場経営者の損害を軽微にとどめることが出来る。【００１９】「電気的な閉回路を備えた粘着式封止シール」における温度差やパチンコ玉の落下による急激な圧力で起きる自己断線や、時間経過や風力による共振運動で起きる自然剥離などの欠点を除去し回路収容箱の異常開箱を的確に監視することができる。【００２０】光ファイバーを利用することによって、「多芯ケーブル等の電線」における電気的な特性による「偽装回路」の形成による不正行為の可能性を除去することが出来、回路収容箱の監視の精度を向上させることが可能となる【００２１】光ファイバーを利用することにより、コネクターや回路収容箱に直接取付ける光路遮断式異常センサーからは電磁波が発生すること無く、遊技機に悪影響を与えないことで風適法などの法律に適合し易い。
【発明を実施するための最良の形態】
【実施例】
【００２２】以下、本発明の実施の形態を図１〜図１８に基づいて説明する。
まず図１において、概略を説明する。
１０光路遮断式異常センサーを構成している１５クランプによって０コネクターを挟み込んで固定している。１０光路遮断式異常センサーの１１検出部には６制御装置からの信号を伝達させる２０送光ファイバーと２１受光ファイバーとが固定されている。１０光路遮断式異常センサーは０コネクターをしっかり挟み込んだ状態を「正常状態」と認識し、２０送光ファイバーから来た信号光を２１受光ファイバーに戻す。この状態で１０光路遮断式異常センサーのクランプを０コネクターから取外したり１５クランプを故意に広げると、２０送光ファイバーと２１受光ファイバーとの間の光的結合が「粗」となり、０コネクターの抜去行為がなされた可能性があると認識する。この光信号の変化は６制御装置によって電気信号に変換され８０ホールコンピュータ終端装置を通じて８ホールコンピュータに伝達され、０コネクターの不正な抜去行為の有無を検知する光ファイバーによる異常監視システムとして機能することになる。【００２３】図２において、１０光路遮断式異常センサーが監視対象とする０コネクターの形態を示す。対象となる０コネクターは電気信号を送受する数本の３信号ケーブルを固定する構造体４コネクター（メス）と、３信号ケーブルとの電気的結合機能を有する１コネクター（オス）とで構成され、４コネクター（メス）には１コネクター（オス）との嵌合後の抜落ちを防止する２ロックレバーを有する。【００２４】図３において、図２に示した１コネクター（オス）と４コネクター（メス）が嵌合し、嵌合後の抜落ちを防止する２ロックレバーがかかって０コネクターが一体化している状態を示す。【００２５】図４において１０光路遮断式異常センサーを取り付ける準備として４コネクター（メス）から引き出されている３信号ケーブルを平坦に寝かせた状態を示す。【００２６】図５において１０光路遮断式異常センサーの部位は大きく分けると２０送光ファイバー、２１受光ファイバーのそれぞれの断面の中心線を一致させた状態で数ｍｍの間隙を開けて固定した上、その間隙に可動式の３０シャッター（図８参照）を設けて「正常状態」と「異常状態」の相違により光信号を断続処理する１１検出部と、１５クランプの動きを１１検出部に伝える１２クランプ支持部および１３可動側クランプ、１４固定側クランプとで構成されている。なお、本図は、１６クランプ開きボタンを指で押し込んで１３可動側クランプが開いている状態を示している。【００２７】図６において、図５の状態にある１０光路遮断式異常センサーを１コネクター（オス）と４コネクター（メス）が嵌合した状態の２ロックレバーを挟み込む位置で１６クランプ開きボタンから指を離し１３稼働側クランプと１４固定側クランプとで図３の状態にある０コネクターを挟み込んで固定し１１検出部を１２クランプ支持部に閉じて抜取り監視を行う状態を示している。【００２８】図７は１０光路遮断式異常センサーを図中の９１矢印１方向から見たＡ−Ｂ−Ｃ−Ｄ面での透視図を図８として作図することを示している。【００２９】図８において、１１検出部には本図を裏から貫くような位置関係で２０送光ファイバーが取り付けられており、１１検出部に終端部を開口している。この様子は図１０にて明瞭である。また、本図には示せないがこの開口している終端部と向かい合って２１受光ファイバーがある。この様子も図１０で明瞭である。これら２０送光ファイバーと２１受光ファイバーとの隙間に３０シャッターが位置する。本図は３１シャッタースプリングにより３０シャッターは２０送光ファイバーと２１受光ファイバーとの隙間を遮蔽しており、２０送光ファイバーから送られる信号光は２１受光ファイバーには届かない状態である。また、１２クランプ支持部には１３可動側クランプと１４固定側クランプがあり、３２クランプスプリングの力で１３可動側クランプの締付力を作り出している【００３０】図９は１０光路遮断式異常センサーを図中の９２矢印２方向から見たＥ−Ｆ−Ｇ−Ｈ面での透視図を図１０として作図することを示している。【００３１】図１０において、１１検出部には２０送光ファイバーが取り付けられており、１１検出部の内面に２０１送光ファイバー終端部がある。この２０１送光ファイバー終端部と向かい合って２１受光ファイバーの２１１受光ファイバー終端部が同芯上に位置している。これら２０１送光ファイバー終端部と２１１受光ファイバー終端部との隙間に３０シャッターが位置する。３０シャッターの形状を明確にするため斜線でハッチング表示している。本図は３１シャッタースプリングにより３０シャッターは２０１送光ファイバー終端部と２１１受光ファイバー終端部との隙間を遮蔽しており、２０送光ファイバーから送られる信号光は２１受光ファイバーには届かない状態を示している。また、１２クランプ支持部には１３可動側クランプと１４固定側クランプがあり、３２クランプスプリングの力で１３可動側クランプの締付力を作り出している【００３２】図１１は１０光路遮断式異常センサーについて、１５クランプ開きボタンを指で押し込み、１３可動側クランプを開いて９３矢印３の方向に移動して１コネクター（オス）を挟み込もうとしている状態の透視図である。このとき、１１検出部は１２クランプ支持部とは結合せず１１１検出部回転軸を中心として上に跳ね上げられており、１１検出部の内部では３０シャッターは３１シャッタースプリングにより押し下げられており３０１シャッター開口部は２０送光ファイバーの正面にはなく下側に位置している。これにより２０送光ファイバーを通る信号光を遮断して「異常検出」と同一の状態を作り出している。この状態は図１２で「正常状態」に変遷する。【００３３】図１２は図１１において１３可動側クランプを開き１４固定側クランプとの間に１コネクター（オス）を挟み込んだ状態での１０光路遮断式異常センサーの透視図である。１２クランプ支持部にある１５クランプ開きボタンから指を離し１３可動側クランプの１３２可動側クランプ締付部が１コネクター（オス）に嵌合し３２クランプスプリングの反発力で２ロックレバーを押しつけている状態である。このとき、１１検出部は１２クランプ支持部に閉じられ１１２検出部固定フックにより再び開くことが出来ない状態になる。そして１３可動側クランプの頭頂部にある１３１可動側クランプ円弧部が３０シャッターの３０２シャッター下端突合部を押し上げ３０シャッターは１１３シャッター回転軸と３０３シャッター軸受に誘導され３１シャッタースプリングを真上に押し上げて移動し、シャッター開口部は２０送光ファイバーの正面に位置することとなり図１１で遮断されていた２０送光ファイバーを通る信号光は３０１シャッター開口部を通過し図１０に示す２１受光ファイバーに到達し図１に示す６制御装置にて「正常状態」と認識する。以降、押し上げられている３１シャッタースプリングの反発力により３０２シャッター下端突合部と１３１可動側クランプ円弧部は強固に密着して「正常状態」を維持する。以下、この状態を「監視中」と表現する。【００３４】図１３は１コネクター（オス）のサイズが図１２のものより大きい場合、「監視中」の１０光路遮断式異常センサーはいかなる状態にあるかを透視図で示したものである。図１２との相違は１３２可動側クランプ締付部の位置が変わることにより１３可動側クランプの停止角度が変わり１３１可動側クランプ円弧部と３０シャッターの３０２シャッター下端突合部との接触点がわずかにずれる。しかし１３１可動側クランプ円弧部は１３３可動側クランプ心棒を中心とする円弧であり、この上のいかなる位置に３０２シャッター下端突合部が来ても３０シャッターは図１２の場合と同様に真上に移動することができる。当然のことであるが、これは１コネクター（オス）のサイズが図１２のものより小さくなる場合にも適応する。【００３５】図１４において「監視中」に「異常状態」を検出した場合の１０光路遮断式異常センサーの透視図を示す。ここで「異常状態」とは故意に１コネクター（オス）と４コネクター（メス）を分離するために１０光路遮断式異常センサーを取り外す行為を想定している。１０光路遮断式異常センサーを取り外すためには１５クランプ開きボタンを押し込むか、又は１３２可動側クランプ締付部を１コネクター（オス）から故意に開く事となる。このとき１３可動側クランプには１３３可動側クランプ心棒を中心に反時計回りに微少角度の回転が起きる。１３１可動側クランプ円弧部もこれに対応する分だけの回転が起こり、３１シャッタースプリングにより密着している３０２シャッター下端突起部にも同量の移動が起きる。この３０２シャッター下端突起部の移動は１１３シャッター回転軸を中心とする回転運動となり３０シャッター自体が図のような位置に傾く。この傾きによって３０シャッターに開口している３０１シャッター開口部は２０送光ファイバーの正面からずれて２０送光ファイバーの正面を塞ぐ状態になり通信光を遮蔽してしまう。よって通信光は図１０の２１受光ファイバーに到達しなくなり６制御装置は「異常状態」を認識する。【００３６】図１５は故意に１２１検出部強制解放孔に棒状の部材を挿入して１１検出部を１２クランプ支持部から解放した状態であり、３０２シャッター下端突合部は１３１可動側クランプ円弧部から解放され３０シャッターは３１シャッタースプリングにより元の位置に復帰し、図１１の場合と同様に通信光を塞ぎ６制御装置は「異常状態」を認識する。【００３７】図１６において、１０光路遮断式異常センサーの内部において２０送光フアイバーと２１受光ファイバーとの間で一連の光路を形成しており、２０送光フアイバー、２１受光ファイバーの末端には６０制御回路に接続すべき４５送光コネクターと４６受光コネクターが取り付けられている。【００３８】図１７において、６１発光素子は図１６の４５送光コネクターと対面し、６２受光素子は図１６の４６受光コネクターと対面して光の送信・受信を行う。６１発光素子を励起するための電圧を６３発光電圧発生回路で発生させ、６４変調周波数発振回路で発振させた変調信号と共に６５変調回路で電圧振幅をパルス状に変調する。変調のかかった信号は６１発光素子に送られ光に変換後、２０送光ファイバーにて送出される。送出された光信号は変調を受けているため外来光とは完全に分離することが出来、また外来光による何たる影響も受けない。２１受光ファイバーにより６０制御回路に帰還した光信号は６２受光素子によって電気信号に変換され６６復調比較回路に送られる。６６復調比較回路で復調後に変調信号と比較され６０制御回路から送信した変調光であることを認識した場合、６８判定信号発生回路に「正常」の二値信号を送る。６０制御回路から送信した変調光でない場合は「異常」の二値信号を送る。また、６７電源監視回路では常に６０制御回路に供給される電圧を監視しており、異常値が発生すれば６８判定信号発生回路に「異常」の二値信号を送り故意的な電源切断や停電を異常状態として判別している。これらの二値信号は６９インターフェイス回路にて上位機器に適合する値に変換送信される。【００３９】図１８は応用例としてパチンコなど遊技機の中枢部である電子回路基板を封入した４０回路収容箱の故意的な開封を監視する例であり、１３可動側クランプと１４固定側クランプにて４０１回路収容箱上蓋と４０２回路収容箱底蓋を挟み込んでいる。この状態で４０１基板ケース上蓋と４０２基板ケース底蓋の間のわずかの隙間に工具などを差し込み、故意にこじ開けようとすると、蓋間の距離がわずかでも広がることとなり、この変化を検出して「異常状態」を認識する。【００４０】図１９は図１８で示した４０回路収容箱の監視状態を中心に図１で示した８監視装置に至る迄の各装置の配置と相互連結状態を４１遊技機裏面に実際に４０回路収容箱が取り付けられている状態で図示したものである。この場合、１０光路遮断式異常センサーは２台使用して４０回路収容箱に設置されている１コネクター（オス）に嵌合している４コネクター（メス）の抜き取りと、４０回路収容箱の開封を監視している。
【図面の簡単な説明】
【００４１】
【図１】光ファイバーによる異常監視システムの概要図
【図２】コネクター（オス）とコネクター（メス）の形態を表す立体図
【図３】コネクター（オス）とコネクター（メス）の嵌合状態を示す立体図
【図４】コネクターからの信号ケーブルを平坦に寝かせた状態を示す立体図
【図５】光路遮断式異常センサーの検出部が開いた状態を示した立体図
【図６】光路遮断式異常センサーの検出部とクランプが閉じコネクターを挟み込んだ状態を示す立体図
【図７】光路遮断式異常センサーの透視図（側面）の作図方向を示す立体図
【図８】光路遮断式異常センサーの側面から見た透視図
【図９】光路遮断式異常センサーの透視図（正面）の作図方向を示す立体図
【図１０】光路遮断式異常センサーの正面から見た透視図
【図１１】コネクターを挟み込もうとしている状態の光路遮断式異常センサーの側面から見た透視図
【図１２】コネクターを挟み込んだ状態の光路遮断式異常センサーの側面から見た透視図
【図１３】サイズの大きいコネクターを挟み込んだ状態の光路遮断式異常センサーの側面から見た透視図
【図１４】「監視中」に「異常状態」を検出した光路遮断式異常センサーの側面から見た透視図
【図１５】検出部強制解放孔からの異常解放された場合の光路遮断式異常センサーの側面から見た透視図
【図１６】制御回路と光路遮断式異常センサーの連結図
【図１７】制御回路の回路構成図
【図１８】回路収容箱に光路遮断式異常センサーを取付けた立体図
【図１９】光ファイバーによる異常監視システム全体図
【符号の説明】
【００４２】    ０  コネクター
１  コネクター（オス）
２  ロックレバー
３  信号ケーブル
４  コネクター（メス）
６  制御装置
８  ホールコンピュータ
１０  光路遮断式異常センサー
１１  検出部
１２  クランプ支持部
１３  可動側クランプ
１４  固定側クランプ
１５  クランプ開きボタン
２０  送光ファイバー
２１  受光ファイバー
３０  シャッター
３１  シャッタースプリング
３２  クランプスプリング
４０  回路収容箱
４５  送光コネクター
４６  受光コネクター
６０  制御回路
６１  発光素子
６２  受光素子
６３  発光電圧発生回路
６４  変調周波数発振回路
６５  変調回路
６６  復調回路
６７  電源監視回路
６８  判定信号発生回路
６９  インターフェイス回路
７０  通信経路
８０  終端装置
９１  矢印１
９２  矢印２
９３  矢印３
１１１  検出部回転軸
１１３  シャッター回転軸
１２１  検出部強制解放孔
１３１  可動側クランプ円弧部
１３２  可動側クランプ締付部
１３３  可動側クランプ心棒
２０１  送光ファイバー終端
２１１  受光ファイバー終端
３０１  シャッター開口部
３０２  シャッター下端突合部
３０３  シャッター軸受
４０１  回路収容箱上蓋
４０２  回路収容箱底蓋
【図１】
2009022712.tif 000003
【図２】
2009022712.tif 000004
【図３】
2009022712.tif 000005
【図４】
2009022712.tif 000006
【図５】
2009022712.tif 000007
【図６】
2009022712.tif 000008
【図７】
2009022712.tif 000009
【図８】
2009022712.tif 000010
【図９】
2009022712.tif 000011
【図１０】
2009022712.tif 000012
【図１１】
2009022712.tif 000013
【図１２】
2009022712.tif 000014
【図１３】
2009022712.tif 000015
【図１４】
2009022712.tif 000016
【図１５】
2009022712.tif 000017
【図１６】
2009022712.tif 000018
【図１７】
2009022712.tif 000019
【図１８】
2009022712.tif 000020
【図１９】
2009022712.tif 000021